(57)【要約】【課題】汎用性を確保しつつ、遊技球の発射に係る制御を行うことができる遊技機を提供する。【解決手段】発射停止条件（オープニング演出中に遊技球の発射を停止させるなど）の成立を契機に遊技球の発射を停止させる制御を実行する発射態様変更装置４１を、発射基板３８に接続すると共に、主制御基板３０と統括制御基板３２（サブ制御装置）との間の信号伝送路上に装着する。そのため、発射態様変更装置４１の装着によって遊技球の発射を停止させる制御を実行し、脱着によって前記制御を実行しないようにすることができる。従って、同一機種のパチンコ遊技機にあっては、実射試験時と出荷時に発射態様変更装置４１が装着されているか又は脱着されているかの違いのみで、パチンコ遊技機自体は共通化される。【選択図】      図４
2005198973.tif 000002
【特許請求の範囲】
【請求項１】
遊技機全体を制御するメイン制御装置と、当該メイン制御装置が出力した各種の遊技信号に基づき各種の遊技演出装置を制御するサブ制御装置と、遊技領域への遊技球の発射を制御する発射制御装置を備えた遊技機において、
前記メイン制御装置が出力した前記遊技信号を前記サブ制御装置側に中継すると共に、前記遊技信号の入力を契機に遊技球の発射態様変更条件が成立したか否かを判定し、当該判定結果が肯定の場合に遊技球の発射態様の変更を指示する発射態様変更信号を前記発射制御装置に出力する発射態様変更装置を備え、
前記発射態様変更装置を、前記発射制御装置に接続すると共に、前記メイン制御装置とサブ制御装置との間の信号伝送路上に装着した遊技機。
【請求項２】
前記発射態様変更装置には、前記遊技球の発射態様変更条件を設定するための設定手段が設けられている請求項１に記載の遊技機。
【請求項３】
前記発射態様変更装置は、前記発射態様変更条件として遊技球の発射を停止させるための条件が成立したか否かを判定し、当該判定結果が肯定の場合に遊技球の発射停止を指示する発射停止信号を出力する、又は前記発射態様変更条件として遊技球の発射強度を変更させるための条件が成立したか否かを判定し、当該判定結果が肯定の場合に遊技球の発射強度の変更を指示する発射強度変更信号を出力する請求項１又は請求項２に記載の遊技機。
【発明の詳細な説明】
【技術分野】
【０００１】
本発明は、発射態様変更条件の成立によって遊技球の発射態様を変更する（例えば、遊技球の発射を停止する）ことができる遊技機に関するものである。
【背景技術】
【０００２】
従来、遊技機の一種であるパチンコ機には、遊技盤の遊技領域に遊技球を発射させる打球発射装置が設けられている。そして、パチンコ機では、遊技者が打球発射装置の操作ハンドルを操作し、遊技領域に発射された遊技球が始動入賞口に入賞したことを契機に図柄組み合わせゲームが行われるようになっている。図柄組み合わせゲームは、複数種類の図柄を変動させて、複数列（例えば３列）の図柄による図柄組み合わせを導出する演出である。そして、遊技者は、図柄組み合わせゲームによって最終的に停止（停止表示）した図柄組み合わせから大当り又ははずれを認識することができるようになっている。
【０００３】
ところで、遊技者の中には、遊技状況に応じて遊技球の発射を停止させる、所謂、止め打ちを行うものもいる。止め打ちは、例えば、始動保留球が上限数（一般的には４）に達した時、図柄組み合わせゲーム中にリーチが形成された時、又は大当り遊技状態中における大入賞口の閉鎖時など、遊技球の発射を停止させて無駄球の消費を抑えることを目的に行われている。例えば、始動保留球が上限数に達している場合に始動入賞口に遊技球が入賞しても、当該遊技球は始動保留球とならないため、止め打ちが行われている。この止め打ちは、操作ハンドルに設けられた停止ボタンを操作するか、又は操作ハンドルから手を離すなどして行われている。しかしながら、このような操作は、遊技者に煩わしさを感じさせることから、例えば、始動保留球が上限数に達したことを契機に自動的に遊技球の発射を停止させることができるパチンコ機が提案された（例えば、特許文献１や特許文献２参照）。
【０００４】
特許文献１のパチンコ遊技機では、機表側に止打ちスイッチを設け、当該止打ちスイッチが操作されると、大当り遊技状態中における大入賞口の閉鎖時、及び大当り遊技状態中以外に保留記憶数が上限数に達した時に遊技球の発射が停止されるようになっている。また、特許文献２のパチンコ遊技機では、機表側に発射制御指示スイッチを設け、当該発射制御指示スイッチが操作されると、大当り遊技状態中又は確率変動状態中以外に始動保留球が上限数に達した時に遊技球の発射が停止されるようになっている。
【特許文献１】特開２００２−１６５９４３号公報（段落番号［００６５］〜［００７８］）
【特許文献２】特開２００２−３５５３７８号公報（段落番号［００５２］〜［００５７］）
【発明の開示】
【発明が解決しようとする課題】
【０００５】
ところで、遊技機メーカでは、遊技機の開発の際に繰り返し実射試験を行い、その試験結果に基づいて、入賞率の調整を行うゲージ設計や遊技機の基本仕様（例えば、大当りの抽選確率、賞球数、リーチ発生確率）などの設定を行っている。しかしながら、遊技機メーカで行う実射試験は、一定の発射強度となるように操作ハンドルを固定し、試験中、遊技球を連続的に発射させて行っている。即ち、実射試験は、止め打ちが行われることを何ら考慮せずに、遊技店に設置されたパチンコ機で遊技が行われるときの環境とは異なった環境で行われている。そのため、実射試験のときとパチンコ機が遊技店に設置されたときでは、遊技者が止め打ちを行うか否かによって遊技球の消化率に差が生じ、遊技店の利益に影響を及ぼす虞があった。そこで、遊技機メーカでは、遊技者が止め打ちを行うことを考慮し、特許文献１や特許文献２のパチンコ機に採用された技術（止め打ちに関する技術）を実射試験の中に取り入れ、ゲージ設計や遊技機の基本仕様などを設定することが望ましい。
【０００６】
しかしながら、特許文献１や特許文献２のパチンコ機に採用された止め打ちに関する技術では、次のような問題が生じる。即ち、止め打ちは、遊技者にとっては無駄球の消費を抑えることができて有効な遊技方法の１つではあるが、遊技店にとっては遊技球の消化率が低下し、利益に影響を及ぼす虞がある。そのため、特許文献１や特許文献２に記載のパチンコ機のように、主制御基板や発射制御基板に止め打ち用の制御プログラムを組み込み、止め打ちを積極的に促す仕様のパチンコ機を遊技店に出荷するのは望ましくなく、遊技店によっては止め打ち機能を完全に排除した仕様のパチンコ機を望むことも考えられる。そこで、遊技機メーカでは、実際の遊技環境に沿うように止め打ち用の制御プログラムを組み込んだパチンコ機で実射試験を行いつつ、その一方で、止め打ち機能を完全に排除した仕様のパチンコ機を設計し、止め打ち機能を望まない遊技店の要求にも応える必要がある。また、パチンコ機は、ゲーム内容を変える際（遊技盤の交換の際）、通常、主制御基板なども含めて交換されてしまうため、交換対象となる主制御基板に止め打ち用の制御プログラムを組み込むことは望ましくない。
【０００７】
従って、特許文献１や特許文献２に記載のパチンコ機に採用された止め打ちに関する技術は、同一機種のパチンコ機において、止め打ち機能を搭載したものと搭載しないものを別々に設計する必要が生じ、汎用性が乏しい。さらに、止め打ちは、ゲーム内容が異なる機種であっても同一の止め打ち用の制御プログラムで対応できるものの、主制御基板などに制御プログラムを組み込むことによって他の機種に流用できず、汎用性が乏しい。
【０００８】
この発明は、このような従来の技術に存在する問題点に着目してなされたものであり、その目的は、汎用性を確保しつつ、遊技球の発射に係る制御を行うことができる遊技機を提供することにある。
【課題を解決するための手段】
【０００９】
上記問題点を解決するために、請求項１に記載の発明は、遊技機全体を制御するメイン制御装置と、当該メイン制御装置が出力した各種の遊技信号に基づき各種の遊技演出装置を制御するサブ制御装置と、遊技領域への遊技球の発射を制御する発射制御装置を備えた遊技機において、前記メイン制御装置が出力した前記遊技信号を前記サブ制御装置側に中継すると共に、前記遊技信号の入力を契機に遊技球の発射態様変更条件が成立したか否かを判定し、当該判定結果が肯定の場合に遊技球の発射態様の変更を指示する発射態様変更信号を前記発射制御装置に出力する発射態様変更装置を備え、前記発射態様変更装置を、前記発射制御装置に接続すると共に、前記メイン制御装置とサブ制御装置との間の信号伝送路上に装着したことを要旨とする。
【００１０】
請求項２に記載の発明は、請求項１に記載の遊技機において、前記発射態様変更装置には、前記遊技球の発射態様変更条件を設定するための設定手段が設けられていることを要旨とする。
【００１１】
請求項３に記載の発明は、請求項１又は請求項２に記載の遊技機において、前記発射態様変更装置は、前記発射態様変更条件として遊技球の発射を停止させるための条件が成立したか否かを判定し、当該判定結果が肯定の場合に遊技球の発射停止を指示する発射停止信号を出力する、又は前記発射態様変更条件として遊技球の発射強度を変更させるための条件が成立したか否かを判定し、当該判定結果が肯定の場合に遊技球の発射強度の変更を指示する発射強度変更信号を出力することを要旨とする。
【発明の効果】
【００１２】
本発明によれば、汎用性を確保しつつ、遊技球の発射に係る制御を行うことができる。
【発明を実施するための最良の形態】
【００１３】
（第１の実施形態）
以下、本発明をその一種であるパチンコ遊技機（以下、「パチンコ機」と示す）に具体化した第１の実施形態を図１〜図８に基づき説明する。
【００１４】
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を透視保護するためのガラス枠を備えた前枠１４と上球皿１５が共に横開き状態で開閉可能に組み付けられている。前枠１４の前面側及び遊技盤１３の遊技領域１３ａには、点灯（点滅）又は消灯し、発光装飾に基づく遊技演出（発光演出）を行う遊技演出装置としての枠ランプ１６及び遊技盤ランプ１７が設けられている。外枠１１の下部（パチンコ機１０の下部）には、各種音声を出力し、音声出力に基づく遊技演出（音声演出）を行う遊技演出装置としてのスピーカ１８が配置されている。中枠１２の下部には、下球皿１９が装着されている。中枠１２の下部には、遊技領域１３ａに遊技球を発射させる際に遊技者が操作する発射ハンドル２１を備えた打球発射装置２０が装着されている。発射ハンドル２１は、回動操作によって、遊技領域１３ａに発射される遊技球の発射強度が調整（強くなったり、弱くなったり）されるようになっている。
【００１５】
遊技盤１３の遊技領域１３ａの略中央には、液晶ディスプレイ型の遊技演出装置としての可変表示器（可変表示部）２３を備えた表示装置２２が配設されている。可変表示器２３では、変動画像（又は画像表示）に基づく遊技演出（表示演出）が行われるようになっている。そして、可変表示器２３では、表示演出に関連して、複数種類の図柄を複数列で変動させて表示する図柄組み合わせゲーム（図柄変動演出）が行われるようになっている。本実施形態では、図柄組み合わせゲームで３列の図柄による組み合わせを導出し、該組み合わせを形成する各列の図柄の種類を１〜８の８種類の数字を模した図柄としている。
【００１６】
そして、遊技者は、可変表示器２３に最終的に停止表示（以下、「停止」と示す）された図柄組み合わせから大当り又ははずれを認識できる。可変表示器２３に停止した全列の図柄が同一種類の場合には、その図柄組み合わせ（例えば、［１１１］［２２２］）から大当りを認識できる。この大当りを認識できる図柄組み合わせが大当りの組み合わせとなる。大当りの組み合わせが停止した場合、遊技者には、大当り遊技状態（特別遊技状態）が付与される。また、可変表示器２３に停止した全列の図柄が異なる種類の場合、又は１列の図柄がリーチを形成する図柄と異なる種類の場合には、その図柄組み合わせ（例えば、［２３４］［１２２］［４３４］）からはずれを認識できる。このはずれを認識できる図柄組み合わせがはずれの組み合わせとなる。また、本実施形態のパチンコ機１０は、遊技者側から見て左列（左図柄）→右列（右図柄）→中列（中図柄）の順に図柄が一旦停止表示（以下、「一旦停止」と示す）されるようになっている。そして、一旦停止した左図柄と右図柄が同一種類の場合には、その図柄組み合わせ（［１↓１］など、「↓」は変動中を示す）からリーチを認識できる。このリーチを認識できる図柄組み合わせがリーチの組み合わせとなる。
【００１７】
また、図１に示すように、表示装置２２の下方には、開閉動作を行う開閉羽根２４を備えた始動入賞口（入賞装置、始動検知手段）２５が配設されている。始動入賞口２５は、遊技球の入賞を契機に図柄組み合わせゲームの始動条件を付与し得る。始動入賞口２５に遊技球が入賞すると、１個の入賞に対して所定個数（例えば、４個）の賞球が払い出される。また、始動入賞口２５の下方には、開閉動作を行う大入賞口扉２６を備えた大入賞口（入賞装置）２７が配設されている。大入賞口２７は、図柄組み合わせゲームにおいて大当りの組み合わせが停止したことを契機に大入賞口扉２６が開閉動作し、開放又は閉鎖されるようになっている。大入賞口２７に遊技球が入賞すると、１個の入賞に対して所定個数（例えば、１５個）の賞球が払い出される。
【００１８】
また、始動入賞口２５の左方には、作動ゲート２８ａが配設されている。作動ゲート２８ａは、遊技球の通過を契機に、普通図柄変動ゲームの始動条件を付与し得る。普通図柄変動ゲームは、始動入賞口２５の開閉羽根２４を開動作させるか否か（始動入賞口２５に遊技球を入賞し易くするか否か）の抽選結果を導出するために行われる演出である。始動入賞口２５は、開閉羽根２４が開動作すると、入り口が拡大されて遊技球が入賞し易い状態とされる。また、始動入賞口２５の左方及び右方には、普通入賞口２８ｂが配設されている。普通入賞口２８ｂに遊技球が入賞すると、１個の入賞に対して所定個数（例えば、１０個）の賞球が払い出される。
【００１９】
また、表示装置２２には、機内部（ＲＡＭ３０ｃ）で記憶された始動保留球の記憶数（以下、「保留記憶数」と示す）に基づく保留中の図柄組み合わせゲームの回数を報知する保留球数表示器２９が配設されている（図２）。保留記憶数は、始動入賞口２５へ遊技球が入賞すると１加算（＋１）され、図柄組み合わせゲームが開始すると１減算（−１）され、図柄組み合わせゲーム中又は大当り遊技状態中に始動入賞口２５へ遊技球が入賞すると保留記憶数は更に加算されて所定の上限数（本実施形態では４）まで累積される。保留球数表示器２９は、保留１ランプ２９ａ、保留２ランプ２９ｂ、保留３ランプ２９ｃ及び保留４ランプ２９ｄからなる複数（４個）の発光手段で構成されている。保留球数表示器２９の各ランプ２９ａ〜２９ｄは、保留記憶数に応じて点灯又は消灯し、例えば、保留１ランプ２９ａのみが点灯している場合には１回の図柄組み合わせゲームが保留中（保留記憶数＝１）であることを報知している。
【００２０】
また、本実施形態のパチンコ機１０は、確率変動（以下、「確変」と示す）機能を備えている。確変機能とは、大当りの組み合わせが予め定めた確変図柄による組み合わせであることを条件に、大当り遊技状態終了後、所定の条件下で大当りの抽選確率が低確率である通常確率（例えば、３５６．３分の１）から高確率（例えば、６２．８分の１）に変動する確変状態を遊技者に付与する機能である。所定の条件下としては、次回の大当り遊技状態開始時まで、又は所定回数の図柄組み合わせゲームが行われるまでとなっている。本実施形態では、確変図柄を１，３，５，７の４種類の図柄と定めており、確変図柄によって大当りの組み合わせが形成された場合には確変の大当りとなる。一方で、大当りの組み合わせが予め定めた非確変図柄による組み合わせである場合、大当り遊技状態終了後、大当りの抽選確率は変動せずに通常確率を維持するようになっている。本実施形態では、非確変図柄を２，４，６，８の４種類の図柄と定めており、非確変図柄によって大当りの組み合わせが形成された場合には通常の大当りとなる。
【００２１】
また、本実施形態のパチンコ機１０は、変動時間短縮（以下、「時短」と示す）機能を備えている。時短機能は、普通図柄変動ゲームの変動時間が短縮された時短状態を遊技者に付与する機能である。時短状態が付与されると、１回の普通図柄変動ゲームの時間（普通図柄が変動を開始してから停止する迄の時間）が、例えば、３０秒（時短状態が付与されていないとき）から５秒（時短状態が付与されているとき）に短縮される。本実施形態において時短状態は、大当り遊技状態終了後、所定回数（例えば、１００回）の図柄組み合わせゲーム（可変表示器２３で行われるゲーム）が終了する迄、又は所定回数に達する前に大当り遊技状態が生起される迄の間、付与される。
【００２２】
次に、パチンコ機１０の制御構成を図３に基づき説明する。図３では、パチンコ機１０の構成を一点鎖線で囲んでいる。
パチンコ機１０の機裏側には、遊技機全体を制御するメイン制御装置としての主制御基板３０が装着されている。主制御基板３０は、遊技機全体を制御するための各種処理を実行し、該処理結果に応じて遊技を制御するための各種の制御信号（制御コマンド）を演算処理し、該制御信号（制御コマンド）を出力する。主制御基板３０から出力される制御信号（制御コマンド）が遊技信号となる。主制御基板３０には、メイン中継基板３１を介して統括制御基板３２、表示制御基板３３、及び音声・ランプ制御基板３４が接続されている。統括制御基板３２は、主制御基板３０が出力した制御信号（制御コマンド）に基づき、表示制御基板３３、及び音声・ランプ制御基板３４を統括的に制御する。表示制御基板３３は、主制御基板３０と統括制御基板３２が出力した制御信号（制御コマンド）に基づき、可変表示器２３の表示態様（図柄、背景、文字などの表示画像）を制御する。音声・ランプ制御基板３４は、主制御基板３０と統括制御基板３２が出力した制御信号（制御コマンド）に基づき、枠ランプ１６、遊技盤ランプ１７及び保留球数表示器２９の発光態様（点灯（点滅）／消灯のタイミングなど）を制御すると共に、スピーカ１８の音声出力態様（音声出力のタイミングなど）を制御する。本実施形態では、統括制御基板３２、表示制御基板３３及び音声・ランプ制御基板３４によってサブ制御装置を構成している（図３に破線で示す）。
【００２３】
主制御基板３０には、始動入賞口２５に入賞した遊技球を検知する始動口センサＡ１が接続されている。また、主制御基板３０には、メイン中継基板３１を介して、大入賞口２７に入賞した遊技球を検知する大入賞口センサ（検知装置）Ａ２、作動ゲート２８ａを通過した遊技球を検知するゲートセンサ（検知装置）Ａ３、及び普通入賞口２８ｂに入賞した遊技球を検知する普通入賞口センサ（検知装置）Ａ４が接続されている。図３及び図４には、大入賞口センサＡ２、ゲートセンサＡ３及び普通入賞口センサＡ４を単に「センサ」と示す。また、主制御基板３０には、メイン中継基板３１を介して、開閉羽根２４を開閉動作させる始動口ソレノイド（駆動装置）Ｂ１、及び大入賞口扉２６を開閉動作させる大入賞口ソレノイド（駆動装置）Ｂ２が接続されている。図３及び図４では、始動口ソレノイドＢ１及び大入賞口ソレノイドＢ２を単に「ソレノイド」と示す。また、主制御基板３０には、遊技球（賞球など）の払出しを制御する払出制御基板３５が接続されている。払出制御基板３５には、遊技球を払出す払出装置３６が接続されている。また、主制御基板３０には、遊技場に設置されたホールコンピュータ（遊技機管理装置）ＨＣに対し、各種遊技の状態に係る信号（大当り信号、確変信号、時短信号など）を中継出力する外部接続端子板（外部接続装置）３７が接続されている。
【００２４】
また、パチンコ機１０の機裏側（発射ハンドル２１の裏側）には、遊技球の発射を制御する発射制御装置としての発射基板３８が装着されている。発射基板３８には、ハンドルユニット３９が接続されている。ハンドルユニット３９は、図４に示すように、発射停止ボタン３９ａ、タッチセンサ３９ｂ、及び可変抵抗器３９ｃから構成されている。発射停止ボタン３９ａは、遊技中の遊技者が遊技球の発射を停止させる際に操作するものであって、遊技者が操作できるように発射ハンドル２１の外周に設けられている。タッチセンサ３９ｂは、遊技者が発射ハンドル２１を操作しているか否か（発射ハンドル２１を把持しているか否か）を検出するセンサであって、遊技者の手が接触するように発射ハンドル２１の外周に設けられている。可変抵抗器３９ｃは、発射ハンドル２１の回動操作量を抵抗の変化によって検出するものであって、発射ハンドル２１の内部に設けられている。また、発射基板３８には、発射位置（上球皿１５の下流側位置）にセットされた遊技球を遊技領域１３ａに打球する打球杆（図示しない）を駆動する発射ソレノイドＢ３が接続されている。
【００２５】
発射基板３８は、タッチセンサ３９ｂから検知信号を入力すると、可変抵抗器３９ｃからの発射強度信号に基づく発射強度で遊技球が発射されるように発射制御信号を発射ソレノイドＢ３に出力する。発射ソレノイドＢ３は、発射制御信号を入力して作動し、打球杆を駆動する。一方で、発射基板３８は、発射停止ボタン３９ａが操作されて、遊技球の発射停止を指示する発射停止信号を入力すると、発射停止ボタン３９ａが操作されている間（発射停止信号を入力している間）、遊技球の発射を停止させるように制御する。また、発射基板３８には、払出制御基板３５が接続されており、払出制御基板３５は、球貸し装置として利用されるプリペイドカードユニット（図示しない）が未接続の場合、発射基板３８に発射停止信号を出力する。
【００２６】
また、パチンコ機１０の機裏側には、遊技場の電源ＡＣ（例えば、ＡＣ２４Ｖ）を、パチンコ機１０を構成する各種構成部材に供給する電源基板（電源供給装置）４０が装着されている。電源基板４０は、主制御基板３０、統括制御基板３２、払出制御基板３５及び発射基板３８に接続されている。そして、電源基板４０は、主制御基板３０、統括制御基板３２、払出制御基板３５及び発射基板３８に対し、所定の動作電圧を供給する。
【００２７】
以下、主制御基板３０の具体的な構成及びその処理内容を中心に説明する。
主制御基板３０は、メインＣＰＵ３０ａ、ＲＯＭ３０ｂ及びＲＡＭ３０ｃを備えている（図４参照）。メインＣＰＵ３０ａは、大当り判定用乱数や大当り図柄用乱数などの各種乱数の値を所定の周期毎に更新し、更新後の値をＲＡＭ３０ｃの設定領域に設定して更新前の値を書き換えている。ＲＯＭ３０ｂには、パチンコ機１０を制御するための制御プログラムや複数種類の変動パターン（演出パターン）が記憶されている。ＲＡＭ３０ｃには、パチンコ機１０の動作中に適宜書き換えられる各種の情報（乱数の値、保留記憶数など）が記憶（設定）されるようになっている。
【００２８】
変動パターンは、図柄が変動を開始（図柄組み合わせゲームの開始）してから全列の図柄が停止（図柄組み合わせゲームの終了）する迄の間の遊技演出（表示演出、発光演出、音声演出）のベースとなるパターンを示すものである。変動パターンには、該変動パターン毎に遊技演出の演出時間が定められている。また、変動パターンは、大当り演出用、はずれリーチ演出用、はずれ演出用に分類されて記憶されている。大当り演出は、図柄組み合わせゲームが、リーチ演出を経て、最終的に大当りの組み合わせで停止するように展開される演出である。はずれリーチ演出は、図柄組み合わせゲームが、リーチ演出を経て、最終的にはずれの組み合わせで停止するように展開される演出である。はずれ演出は、図柄組み合わせゲームが、リーチ演出を経ることなく最終的にはずれの組み合わせで停止するように展開される演出である。リーチ演出は、リーチが形成されてから、大当りの組み合わせ又ははずれの組み合わせが導出される迄の間に行われる演出である。遊技演出の演出時間は、はずれ演出に係る時間（通常変動に係る時間）よりも大当り演出及びはずれリーチ演出に係る時間の方が長く設定されている。また、はずれ演出用の変動パターンについては、確変状態用及び時短状態用の変動パターンと、通常状態（確変状態又は時短状態以外の状態）用の変動パターンに分類されている。確変状態用又は時短状態用の変動パターンと通常状態用の変動パターンは、演出時間が異なっており、通常状態用の変動パターンに比して確変状態用又は時短状態用の変動パターンは演出時間が短く設定されている。確変状態中又は時短状態中は、始動保留球の消化効率をアップさせるために、はずれ演出に係る演出時間を通常状態中よりも短縮させている。
【００２９】
そして、メインＣＰＵ３０ａは、ＲＯＭ３０ｂに記憶された制御プログラムに基づき、各種処理を実行する。
最初に、保留記憶数に係る処理について説明する。メインＣＰＵ３０ａは、始動口センサＡ１からの検知信号を入力すると、ＲＡＭ３０ｃに設定されている保留記憶数を確認し、該保留記憶数が上限数未満の場合には＋１し、書き換える。また、メインＣＰＵ３０ａは、前記検知信号を入力すると、大当り判定用乱数の値、及び大当り図柄用乱数の値を取得し、その取得した値を保留記憶数に対応付けてＲＡＭ３０ｃの所定の格納領域に格納する。また、メインＣＰＵ３０ａは、図柄組み合わせゲームを開始させる際、保留記憶数を−１し、書き換える。
【００３０】
そして、メインＣＰＵ３０ａは、保留記憶数を＋１又は−１し、書き換えた場合、書き換え後の保留記憶数の報知を指示する保留指定コマンド（保留信号）を統括制御基板３２のＣＰＵ（図示しない）に出力する。統括制御基板３２のＣＰＵは、入力した保留指定コマンドを音声・ランプ制御基板３４のＣＰＵ（図示しない）に出力する。本実施形態では、保留記憶数の上限数を４としていることから、保留記憶数に応じて、保留０指定コマンド、保留１指定コマンド、保留２指定コマンド、保留３指定コマンド又は保留４指定コマンドの何れかが出力される。保留０指定コマンドは保留記憶数を「１→０」に書き換えた時に出力され、保留１指定コマンドは保留記憶数を「０→１」又は「２→１」に書き換えた時に出力され、保留２指定コマンドは保留記憶数を「１→２」又は「３→２」に書き換えた時に出力される。保留３指定コマンドは保留記憶数を「２→３」又は「４→３」に書き換えた時に出力され、保留４指定コマンドは保留記憶数を「３→４」に書き換えた時に出力される。保留指定コマンドを入力した音声・ランプ制御基板３４のＣＰＵは、保留指定コマンドで指定された保留記憶数に応じて各ランプ２９ａ〜２９ｄを点灯させるように保留球数表示器２９の発光態様を制御する。
【００３１】
次に、図柄組み合わせゲームに係る処理について説明する。メインＣＰＵ３０ａは、図柄組み合わせゲームの開始直前に、ＲＡＭ３０ｃに格納した前記大当り判定用乱数の値とＲＯＭ３０ｂに記憶されている大当り判定値とを比較して大当りか否かを判定（大当り判定）する。メインＣＰＵ３０ａは、確変状態の場合、大当りの抽選確率を高確率に設定して大当り判定を行うと共に、時短状態又は通常状態の場合、大当りの抽選確率を低確率に設定して大当り判定を行う。そして、メインＣＰＵ３０ａは、大当り判定の判定結果に応じて、可変表示器２３に最終的に停止させる図柄を決定すると共に、変動パターンを決定する。即ち、メインＣＰＵ３０ａは、大当り判定で大当りを決定した場合、大当り図柄用乱数の値に基づき全列の図柄を同一種類の図柄に決定すると共に、大当り演出用の変動パターンを決定する。例えば、全列の図柄を「１」に決定した場合、図柄組み合わせゲームでは、確変の大当りとなる大当りの組み合わせ［１１１］が停止する。また、メインＣＰＵ３０ａは、決定した図柄の種類から、大当り遊技状態終了後、確変状態を付与するか否か（大当りの抽選確率を高確率に変動させるか否か）を決定する。
【００３２】
一方、メインＣＰＵ３０ａは、大当り判定ではずれを決定した場合、リーチ演出を行うか否かを抽選で決定する。そして、メインＣＰＵ３０ａは、リーチ演出を行う場合、左列の図柄と右列の図柄を同一種類の図柄とし、中列の図柄を左右列の図柄と異なるように決定すると共に、はずれリーチ演出用の変動パターンを決定する。また、メインＣＰＵ３０ａは、リーチ演出を行わない場合、左列の図柄と右列の図柄が異なるように各列の図柄を決定すると共に、はずれ演出用の変動パターンを決定する。このとき、メインＣＰＵ３０ａは、確変状態又は時短状態の場合、確変状態用又は時短状態用の変動パターン（はずれ演出用）を決定し、通常状態の場合、通常状態用の変動パターン（はずれ演出用）を決定する。
【００３３】
そして、メインＣＰＵ３０ａは、決定した変動パターンを指定すると共に図柄の変動開始を指示する変動パターン指定コマンド（変動開始信号）を統括制御基板３２のＣＰＵに出力する。また、メインＣＰＵ３０ａは、決定した各列の図柄を指定する図柄指定コマンドを統括制御基板３２のＣＰＵに出力する。さらに、メインＣＰＵ３０ａは、決定した変動パターンに定められている演出時間の経過時に、各列の図柄の停止を指示する全図柄停止コマンド（変動終了信号）を出力する。統括制御基板３２のＣＰＵは、変動パターン指定コマンドを表示制御基板３３と音声・ランプ制御基板３４の各ＣＰＵに出力し、図柄指定コマンドと全図柄停止コマンドを表示制御基板３３のＣＰＵに出力する。
【００３４】
次に、大当り遊技状態に係る処理について説明する。大当り遊技状態は、オープニング演出が開始してから、エンディング演出が終了する迄の間であり、オープニング演出が終了すると、予め定めた規定ラウンド数を上限としてラウンド遊技が繰り返し行われる。１回のラウンド遊技は、大入賞口２７が開放されてから閉鎖される迄であり、１回のラウンド遊技中に大入賞口２７は、規定入賞個数の遊技球が入賞する迄の間、又は一定時間が経過する迄の間、開放される。また、ラウンド遊技は、所定の継続条件の成立（１回のラウンド遊技中にＶ入賞がある）によって継続される。メインＣＰＵ３０ａは、決定した大当り演出用の変動パターンに基づく図柄組み合わせゲームが終了し、大当り遊技状態に移行すると、大当り遊技状態であることを示す大当り信号（大当り状態信号）を外部接続端子板３７に出力する。大当り信号は、大当り遊技状態が終了する迄の間、継続出力される。また、メインＣＰＵ３０ａは、大当り遊技状態に移行すると、オープニング演出の開始を指示するオープニングコマンド（演出開始信号）を統括制御基板３２のＣＰＵに出力する。
【００３５】
また、メインＣＰＵ３０ａは、各ラウンド遊技の開始時に、そのラウンド遊技の開始を指示するラウンドコマンドを統括制御基板３２のＣＰＵに出力すると共に、大入賞口２７の開放を指示する開信号を大入賞口ソレノイドＢ２に出力する。ラウンド遊技中、メインＣＰＵ３０ａは、大入賞口センサＡ２からの検知信号を入力し、大入賞口２７に入賞した遊技球の計数処理やＶ入賞の有無を判定する処理を行う。そして、メインＣＰＵ３０ａは、各ラウンド遊技の終了時に、大入賞口２７の閉鎖を指示する閉信号を大入賞口ソレノイドＢ２に出力する。その後に、メインＣＰＵ３０ａは、最終回のラウンド遊技の終了時に、エンディング演出の開始を指示するエンディングコマンド（演出開始信号）を統括制御基板３２のＣＰＵに出力する。最終回のラウンド遊技は、規定ラウンド数に達する回のラウンド遊技、又はラウンド遊技中に継続条件が成立しなかった場合（所謂パンク）にはその回のラウンド遊技である。なお、統括制御基板３２のＣＰＵは、入力したオープニングコマンド、ラウンドコマンド、及びエンディングコマンドを、表示制御基板３３と音声・ランプ制御基板３４の各ＣＰＵに出力する。
【００３６】
そして、メインＣＰＵ３０ａは、大当り遊技状態が終了（エンディング演出が終了）すると、大当り遊技状態終了後の遊技状態に応じて、所定の信号（又はコマンド）を出力する。即ち、メインＣＰＵ３０ａは、大当り遊技状態終了後、確変状態に移行する場合、確変状態であることを示す確変信号（遊技状態信号）を外部接続端子板３７に出力すると共に、確変状態の開始を指示する高確率指定コマンド（遊技状態信号）を統括制御基板３２のＣＰＵに出力する。確変信号は、確変状態が終了する迄の間、継続出力される。本実施形態では、確変の大当りによる大当り遊技状態終了後、確変状態に移行される。一方で、メインＣＰＵ３０ａは、大当り遊技状態終了後、時短状態に移行する場合、時短状態であることを示す時短信号（遊技状態信号）を外部接続端子板３７に出力すると共に、時短状態の開始を指示する時短作動指定コマンド（遊技状態信号）を統括制御基板３２のＣＰＵに出力する。時短信号は、時短状態が終了する迄の間、継続出力される。本実施形態では、通常の大当りによる大当り遊技状態終了後、時短状態に移行される。また、メインＣＰＵ３０ａは、時短状態が終了すると、時短状態の終了を指示する時短終了指定コマンド（遊技状態信号）を統括制御基板３２のＣＰＵに出力する。なお、統括制御基板３２のＣＰＵは、高確率指定コマンド、時短作動指定コマンド、及び時短終了指示コマンドを表示制御基板３３のＣＰＵに出力する。
【００３７】
次に、賞球の払出しに係る処理について説明する。メインＣＰＵ３０ａは、始動口センサＡ１、大入賞口センサＡ２、及び普通入賞口センサＡ４からの検知信号を入賞すると、払出す賞球の総数をＲＡＭ３０ｃに設定する。そして、メインＣＰＵ３０ａは、ＲＡＭ３０ｃに設定された前記賞球の総数に基づき、賞球の払出しを指示する賞球コマンドを払出制御基板３５に出力する。払出制御基板３５は、賞球コマンドを入力すると、作動信号を払出装置３６に出力する。払出装置３６は、作動信号の入力によって作動し、賞球を払出す。
【００３８】
ここで、表示制御基板３３と音声・ランプ制御基板３４が実行する制御について説明する。
表示制御基板３３のＣＰＵは、変動パターン指定コマンドと図柄指定コマンドを入力すると、表示演出データに基づき、可変表示器２３の表示態様を制御する。この制御により、可変表示器２３では、指定された変動パターンに対応する演出内容で、指定された図柄による図柄組み合わせを導出する図柄組み合わせゲームが行われる。表示演出データには、表示演出の内容（図柄の変動、リーチ演出など）や各演出に要する時間（例えば、リーチの組み合わせが導出される迄の時間、リーチ演出の時間など）が示されている。音声・ランプ制御基板３４のＣＰＵは、変動パターン指定コマンドを入力すると、音声発光演出データに基づき、枠ランプ１６と遊技盤ランプ１７の発光態様、及びスピーカ１８の音声出力態様を制御する。この制御により、枠ランプ１６、遊技盤ランプ１７及びスピーカ１８では、指定された変動パターンに対応する演出内容で、可変表示器２３の表示演出に合わせた発光演出や音声演出が行われる。音声発光演出データには、音声演出や発光演出の内容（音声の種類、発光パターンなど）や各演出に要する時間（音声パターンや発光パターンを切替る迄の時間など）が示されている。
【００３９】
表示制御基板３３のＣＰＵは、オープニングコマンド、ラウンドコマンド及びエンディングコマンドを入力すると、前述同様に表示演出データに基づき、可変表示器２３の表示態様を制御する。音声・ランプ制御基板３４のＣＰＵは、オープニングコマンド、ラウンドコマンド及びエンディングコマンドを入力すると、前述同様に音声発光演出データに基づき、枠ランプ１６と遊技盤ランプ１７の発光態様、及びスピーカ１８の音声出力態様を制御する。これらの制御により、オープニング演出、各ラウンド遊技中のラウンド演出、及びエンディング演出が行われる。また、表示制御基板３３のＣＰＵは、高確率指定コマンド及び時短作動指定コマンドを入力すると、確変状態及び時短状態であることを報知するために可変表示器２３の表示態様を制御する（例えば、通常状態とは異なる背景画像を表示するなど）。
【００４０】
そして、本実施形態のパチンコ機１０は、遊技中の遊技球の発射態様を変更する発射態様変更装置（発射停止制御装置）４１（図３及び図４に二点鎖線で示す）が装着可能とされている。本実施形態の発射態様変更装置４１は、遊技中に遊技球の発射停止条件（発射態様変更条件）が成立したことを契機に、遊技球の発射を自動的に停止させる制御（以下、「発射停止制御」と示す）を実行するようになっている。即ち、発射態様変更装置４１は、発射停止条件の成立を契機に、止め打ちを自動的に行わせるようになっている。そして、発射態様変更装置４１は、パチンコ機１０の機裏側に、着脱自在に装着されるようになっている。発射態様変更装置４１をパチンコ機１０に装着した場合には、発射停止制御が実行されて止め打ちが行われる。なお、発射態様変更装置４１が未装着の場合（又は脱着した場合）には、発射ハンドル２１に配設された発射停止ボタン３９ａを操作することによって止め打ちを行うことが可能である。
【００４１】
以下、発射態様変更装置４１の構成について図４に基づき説明する。なお、図４は、発射態様変更装置４１を中心に図示し、一部の制御基板（例えば、表示制御基板３３や音声・ランプ制御基板３４）などは省略している。発射態様変更装置４１が装着された場合のパチンコ機１０全体の制御構成は、図３に示すとおりである（図３には、発射態様変更装置４１を二点鎖線で示している）。
【００４２】
発射態様変更装置４１は、変更指示装置としての変更指示基板４２と、信号中継装置としての信号中継基板４３と、発射中継基板４４とを備え、ユニット化されている。そして、発射態様変更装置４１は、信号中継基板４３に変更指示基板４２が接続され、変更指示基板４２に発射中継基板４４が接続されて構成されている。変更指示基板４２と信号中継基板４３は、信号中継基板４３から変更指示基板４２への一方向通信（一方向への信号出力）となる状態で接続されている。また、変更指示基板４２と発射中継基板４４は、変更指示基板４２から発射中継基板４４への一方向通信（一方向への信号出力）となる状態で接続されている。
【００４３】
変更指示基板４２は、ＣＰＵ４２ａ、ＲＯＭ４２ｂ及びＲＡＭ４２ｃを備えている。ＣＰＵ４２ａは、主制御基板３０が出力する各種の制御信号（制御コマンド、遊技状態信号、大当り状態信号）に基づき、発射停止条件が成立したか否かを判定（発射停止判定）し、発射停止制御を実行する。ＲＯＭ４２ｂには、発射停止制御を実行するための制御プログラムが記憶されている。ＲＡＭ４２ｃには、前記制御プログラムの実行中に適宜書き換えられる各種の情報（例えば、タイマの値、各種フラグ）が記憶（設定）されるようになっている。
【００４４】
また、変更指示基板４２には、発射停止条件を設定する設定手段としての切換スイッチ（例えば、ディップスイッチ）４５が設けられている。切換スイッチ４５は、遊技店側の操作のみが許容されるように、変更指示基板４２に配設されている。本実施形態では、切換スイッチ４５の操作によって、３つの発射停止条件が選択的に設定（単数の条件設定又は複数の条件設定）されるようになっている。切換スイッチ４５は、各発射停止条件に対応して３つのスイッチＳＷ１，ＳＷ２，ＳＷ３を有しており、ＯＮ切換されたスイッチＳＷ１，ＳＷ２，ＳＷ３に応じて、発射停止条件が設定されるようになっている。また、変更指示基板４２には、切換スイッチ４５の設定状態、即ち、設定された発射停止条件を報知する報知手段としての設定報知器４６が設けられている。設定報知器４６は、例えば、７セグメントＬＥＤによって構成されており、この場合には発射停止条件を表す数字やアルファベットなどが発光表示される。また、変更指示基板４２には、外部機器（パーソナルコンピュータなど）ＰＣを接続する接続部としての接続端子４２ｄが設けられている。
【００４５】
ここで、本実施形態における３つの発射停止条件の内容について説明する。
１つ目の発射停止条件は、オープニング演出中、及びエンディング演出中に遊技球の発射を停止させることとしている。オープニング演出中、及びエンディング演出中は、大入賞口２７が閉鎖されている。以下、１つ目の発射停止条件を「大当り停止条件」と示し、スイッチＳＷ１のＯＮ切換によって設定されるものとする。大当り停止条件が設定されると、オープニング演出及びエンディング演出が行われることを契機に遊技球の発射が自動的に停止され、オープニング演出及びエンディング演出の間、発射停止状態（発射ハンドル２１を操作しても遊技球が発射されない状態）となる。
【００４６】
２つ目の発射停止条件は、リーチ演出中に遊技球の発射を停止させることとしている。以下、２つ目の発射停止条件を「リーチ停止条件」と示し、スイッチＳＷ２のＯＮ切換によって設定されるものとする。リーチ停止条件が設定されると、リーチ演出が行われることを契機に遊技球の発射が自動的に停止され、リーチ演出の間、発射停止状態となる。３つ目の発射停止条件は、大当り遊技状態が付与されていない場合に、保留記憶数が上限数（本実施形態では４）に達したときに遊技球の発射を停止させることとしている。保留記憶数が上限数に達している間は、始動入賞口２５に入賞しても保留記憶数が加算されない。以下、３つ目の発射停止条件を「保留停止条件」と示し、スイッチＳＷ３のＯＮ切換によって設定されるものとする。保留停止条件が設定されると、大当り遊技状態が付与されていない場合に、保留記憶数が上限数に達したことを契機に遊技球の発射が自動的に停止され、保留記憶数が上限数となっている間（保留４ランプ２９ｄが点灯している間）、発射停止状態となる。
【００４７】
信号中継基板４３には、複数の入出力端子（図示しない）が設けられている。信号中継基板４３は、発射態様変更装置４１の装着時、主制御基板３０とメイン中継基板３１（統括制御基板３２、前記各センサＡ２〜Ａ４、前記各ソレノイドＢ１、Ｂ２）との間、主制御基板３０と外部接続端子板３７との間、及び主制御基板３０と電源基板４０との間に配設されるようになっている。そして、信号中継基板４３は、主制御基板３０が出力した各種の制御信号（制御コマンド、遊技状態信号、大当り状態信号）をメイン中継基板３１、外部接続端子板３７及び変更指示基板４２に中継するようになっている。また、信号中継基板４３は、前記各センサＡ２〜Ａ４が出力した各種の検知信号を主制御基板３０に中継すると共に、電源基板４０からの動作電圧を主制御基板３０と変更指示基板４２に供給するようになっている。即ち、本実施形態の発射態様変更装置４１は、主制御基板３０と統括制御基板３２（メイン中継基板３１）との間の信号伝送路上に配設されていることになる。また、発射態様変更装置４１は、主制御基板３０と外部接続端子板３７との間の信号伝送路上にも配設されていることになる。さらに、発射態様変更装置４１は、主制御基板３０と電源基板４０との間の電圧供給路上にも配設されていることになる。
【００４８】
発射中継基板４４には、複数の入出力端子（図示しない）が設けられている。発射中継基板４４は、発射態様変更装置４１の装着時、発射基板３８とハンドルユニット３９との間の信号伝送路上に配設されるようになっている。そして、発射中継基板４４は、変更指示基板４２が出力した制御信号（本実施形態では、遊技球の発射停止を指示する発射停止信号）を、発射基板３８に中継するようになっている。また、発射中継基板４４は、ハンドルユニット３９（発射停止ボタン３９ａ、タッチセンサ３９ｂ及び可変抵抗器３９ｃ）が出力した制御信号を、発射基板３８に中継するようになっている。即ち、本実施形態の発射態様変更装置４１は、発射基板３８に接続されていることになる。
【００４９】
以下、発射態様変更装置４１の装着時、変更指示基板４２のＣＰＵ４２ａが実行する発射停止制御について図５〜図８に示すフローチャートに基づき説明する。図５〜図８のフローチャートに示す各種処理は、所定の制御周期毎（例えば、４ｍｓ毎）に順次繰り返し実行される。
【００５０】
最初に、図５に示すスイッチ入力処理を説明する。スイッチ入力処理は、切換スイッチ４５の設定に係る処理である。スイッチ入力処理においてＣＰＵ４２ａは、切換スイッチ４５の設定状態を確認する（ステップＳ１０）。確認後、ＣＰＵ４２ａは、設定状態をＲＡＭ４２ｃの所定の格納領域に格納する。続いて、ＣＰＵ４２ａは、ステップＳ１０で確認した設定状態が変化したか否かを判定する（ステップＳ１１）。この判定は、前回の制御周期でＲＡＭ４２ｃに格納した設定状態と、今回の制御周期においてステップＳ１０で確認した設定状態とを比較して行う。ステップＳ１１の判定結果が肯定（変化した）の場合、ＣＰＵ４２ａは、切換スイッチ４５の設定状態が変更されたことから、変更後の設定状態を設定報知器４６に出力する（ステップＳ１２）。ステップＳ１２においてＣＰＵ４２ａは、変更後の設定状態の報知を指示する報知信号を設定報知器４６に出力し、該報知信号を入力した設定報知器４６は報知内容を変更し、報知（表示）する。その後、ＣＰＵ４２ａは、スイッチ入力処理を終了する。また、ステップＳ１１の判定結果が否定（変化なし）の場合、ＣＰＵ４２ａは、切換スイッチ４５の設定状態が変更されていないことから、スイッチ入力処理を終了する。
【００５１】
次に、図６に示す発射停止処理１を説明する。
発射停止処理１は、大当り停止条件の成立によって遊技球の発射を停止させるために実行される処理である。発射停止処理１においてＣＰＵ４２ａは、スイッチ入力処理のステップＳ１０にてＲＡＭ４２ｃに格納した切換スイッチ４５の設定状態を確認し、スイッチＳＷ１がＯＮであるか否か（大当り停止条件が設定されているか否か）を判定する（ステップＳ２０）。この判定結果が否定（スイッチＳＷ１＝ＯＦＦ（大当り停止条件が設定されていない））の場合、ＣＰＵ４２ａは、発射停止処理１を終了する。大当り停止条件が設定されていない場合には、オープニング演出中、及びエンディング演出中、発射停止制御が実行されず、発射ハンドル２１の操作によって遊技球が発射される（但し、遊技者が発射停止ボタン３９ａを操作した場合には発射が停止する）。
【００５２】
ステップＳ２０の判定結果が肯定（スイッチＳＷ１＝ＯＮ（大当り停止条件が設定されている））の場合、ＣＰＵ４２ａは、大当りフラグが「０（零）」に設定されているか否かを判定する（ステップＳ２１）。大当りフラグは、オープニング演出中、又はエンディング演出中であるか否かを示すフラグであり、ＲＡＭ４２ｃに設定される。ステップＳ２１の判定結果が肯定（大当りフラグ＝０）の場合、ＣＰＵ４２ａは、オープニング演出中、又はエンディング演出中でないことから、オープニングコマンド、又はエンディングコマンドを入力したか否かを判定する（ステップＳ２２）。オープニングコマンドとエンディングコマンドは、主制御基板３０のメインＣＰＵ３０ａから出力され、信号中継基板４３によってメイン中継基板３１と変更指示基板４２に中継される。ステップＳ２２の判定結果が肯定（入力した）の場合、ＣＰＵ４２ａは、オープニング演出、又はエンディング演出が開始し、オープニング演出中、又はエンディング演出中となることから、大当りフラグに「１」を設定する（ステップＳ２３）。ステップＳ２２が肯定判定されることによって、大当り停止条件が成立したこととなる。
【００５３】
続いて、ＣＰＵ４２ａは、オープニング演出、又はエンディング演出が終了したか否かを判定するためにＲＡＭ４２ｃにタイマをセットする（ステップＳ２４）。ステップＳ２４においてＣＰＵ４２ａは、オープニングコマンドを入力した場合、オープニング演出の演出時間に応じて定めた時間（本実施形態では４秒（ｓ））をセットし、エンディングコマンドを入力した場合、エンディング演出の演出時間に応じて定めた時間（本実施形態では４秒（ｓ））をセットする。その後、ＣＰＵ４２ａは、大当り停止条件が成立したことから、遊技球の発射停止を指示する発射停止信号を発射基板３８に出力し（ステップＳ２５）、発射停止処理１を終了する。
【００５４】
一方、ステップＳ２１の判定結果が否定（大当りフラグ＝１）の場合、ＣＰＵ４２ａは、オープニング演出中、又はエンディング演出中であることから、タイマを減算し（一制御周期に相当する時間（制御周期が４ｍｓの場合には４ｍｓ））、タイマの値を書き換える（ステップＳ２６）。続いて、ＣＰＵ４２ａは、減算後のタイマの値が「０（零）」であるか否かを判定する（ステップＳ２７）。この判定結果が否定（タイマ＞０）の場合、ＣＰＵ４２ａは、オープニング演出中、又はエンディング演出中であることから、ステップＳ２５に移行して発射停止信号を継続出力する。また、ステップＳ２７の判定結果が肯定（タイマ＝０）の場合、ＣＰＵ４２ａは、オープニング演出、又はエンディング演出が終了したことから、大当りフラグに「０」を設定し（ステップＳ２８）、発射停止処理１を終了する。
【００５５】
発射停止処理１においてＣＰＵ４２ａは、オープニングコマンド、又はエンディングコマンドの入力を契機に発射停止信号を発射基板３８に出力し、オープニング演出、又はエンディング演出が終了する迄の間、発射停止信号を継続出力する。発射停止信号を入力した発射基板３８は、遊技球の発射を停止させるように制御する（即ち、発射ソレノイドＢ３に駆動信号を出力しない）。その結果、大当り停止条件が設定されている場合には、オープニング演出中、及びエンディング演出中、自動的に止め打ちが行われる。
【００５６】
次に、図７に示す発射停止処理２を説明する。
発射停止処理２は、リーチ停止条件の成立によって遊技球の発射を停止させるために実行される処理である。発射停止処理２においてＣＰＵ４２ａは、スイッチ入力処理のステップＳ１０にてＲＡＭ４２ｃに格納した切換スイッチ４５の設定状態を確認し、スイッチＳＷ２がＯＮであるか否か（リーチ停止条件が設定されているか否か）を判定する（ステップＳ３０）。この判定結果が否定（スイッチＳＷ２＝ＯＦＦ（リーチ停止条件が設定されていない））の場合、ＣＰＵ４２ａは、発射停止処理２を終了する。リーチ停止条件が設定されていない場合には、リーチ演出中、発射停止制御が実行されず、発射ハンドル２１の操作によって遊技球が発射される（但し、遊技者が発射停止ボタン３９ａを操作した場合には発射が停止する）。
【００５７】
ステップＳ３０の判定結果が肯定（スイッチＳＷ２＝ＯＮ（リーチ停止条件が設定されている））の場合、ＣＰＵ４２ａは、図柄変動フラグが「０（零）」に設定されているか否かを判定する（ステップＳ３１）。図柄変動フラグは、図柄組み合わせゲームの状態を示すフラグであり、ＲＡＭ４２ｃに設定される。ステップＳ３１の判定結果が肯定（図柄変動フラグ＝０）の場合、ＣＰＵ４２ａは、図柄組み合わせゲームが行われていないことから、変動パターン指定コマンドを入力したか否かを判定する（ステップＳ３２）。変動パターン指定コマンドは、主制御基板３０のメインＣＰＵ３０ａから出力され、信号中継基板４３によってメイン中継基板３１と変更指示基板４２に中継される。ステップＳ３２の判定結果が肯定（入力した）の場合、ＣＰＵ４２ａは、図柄変動フラグに「１」を設定する（ステップＳ３３）。図柄変動フラグが「１」の場合には、図柄組み合わせゲームが開始してから、予め定めた所定時間（ステップＳ３５でセットされる時間）が経過していないことを示す。
【００５８】
続いて、ＣＰＵ４２ａは、遊技状態を確認する（ステップＳ３４）。ステップＳ３４においてＣＰＵ４２ａは、遊技状態が、通常状態であるか、確変状態であるか、又は時短状態であるかを確認する。この確認は、確変信号、又は時短信号の入力状態から確認する。確変信号と時短信号は、主制御基板３０のメインＣＰＵ３０ａから出力され、信号中継基板４３によって外部接続端子板３７と変更指示基板４２に中継される。そして、ＣＰＵ４２ａは、確変信号の入力によって確変状態であることを確認し、時短信号の入力によって時短状態であることを確認すると共に、確変信号と時短信号の何れも入力していない場合には通常状態であることを確認する。なお、ステップＳ３４においてＣＰＵ４２ａは、高確率指定コマンドから確変状態を確認し、時短作動指定コマンドから時短状態を確認すると共に、時短終了指定コマンドから通常状態を確認しても良い。
【００５９】
続いて、ＣＰＵ４２ａは、図柄組み合わせゲームにおいてリーチ演出が行われるか否かを判定するために、ステップＳ３４で確認した遊技状態に応じてＲＡＭ４２ｃにタイマをセットし（ステップＳ３５）、発射停止処理２を終了する。ステップＳ３５においてＣＰＵ４２ａは、通常状態であれば、通常状態時に選択されるはずれ演出用の変動パターンの演出時間に応じて定めた時間（本実施形態では１５秒（ｓ））をセットする。一方で、ＣＰＵ４２ａは、確変状態又は時短状態であれば、確変状態時又は時短状態時に選択されるはずれ演出用の変動パターンの演出時間に応じて定めた時間（本実施形態では６秒（ｓ））をセットする。ステップＳ３５でセットされる時間は、はずれ演出において、リーチ演出が行われることなく、はずれの組み合わせが停止する迄の時間（通常変動に係る時間）を考慮して定められる。なお、ステップＳ３５でセットされる時間は、はずれ演出用の変動パターンの演出時間がパチンコ機１０の機種毎に若干相違することから、発射態様変更装置４１を他機種のパチンコ機１０に流用することを考慮し、余裕を持って長めの時間（例えば、１秒〜２秒程度長め）に設定するとより好ましい。なお、ステップＳ３２の判定結果が否定（入力していない）の場合、ＣＰＵ４２ａは、発射停止処理２を終了する。
【００６０】
ステップＳ３１の判定結果が否定（図柄変動フラグ≠０）の場合、ＣＰＵ４２ａは、全図柄停止コマンドを入力したか否かを判定する（ステップＳ３６）。全図柄停止コマンドは、主制御基板３０のメインＣＰＵ３０ａから出力され、信号中継基板４３によってメイン中継基板３１と変更指示基板４２に中継される。ステップＳ３６の判定結果が肯定（入力した）の場合、ＣＰＵ４２ａは、図柄組み合わせゲームが終了することから、タイマに「０（零）」を設定する（ステップＳ３７）。続いて、ＣＰＵ４２ａは、図柄変動フラグに「０（零）」を設定する（ステップＳ３８）。
【００６１】
ステップＳ３６の判定結果が否定（入力していない）の場合、ＣＰＵ４２ａは、図柄変動フラグに「１」が設定されているか否かを判定する（ステップＳ３９）。この判定結果が肯定（図柄変動フラグ＝１）の場合、ＣＰＵ４２ａは、図柄組み合わせゲームの開始後、ステップＳ３５でセットした時間が経過していないことから、タイマを減算し（一制御周期に相当する時間）、タイマを書き換える（ステップＳ４０）。続いて、ＣＰＵ４２ａは、減算後のタイマの値が「０（零）」であるか否かを判定する（ステップＳ４１）。この判定結果が肯定の場合、ＣＰＵ４２ａは、図柄変動フラグに「２」を設定する（ステップＳ４２）。図柄変動フラグが「２」の場合には、図柄組み合わせゲームの開始後、ステップＳ３５でセットした時間が経過したことを示す。図柄変動フラグに「２」が設定された場合には、はずれ演出用の変動パターン以外の大当り演出用又ははずれリーチ演出用の変動パターンに基づき図柄組み合わせゲームが行われており、リーチ演出が行われることとなる。ステップＳ４１が肯定判定されることによって、リーチ停止条件が成立したことになる。
【００６２】
続いて、ＣＰＵ４２ａは、リーチ停止条件が成立したことから、遊技球の発射停止を指示する発射停止信号を発射基板３８に出力し（ステップＳ４３）、発射停止処理２を終了する。一方、ステップＳ３９の判定結果が否定（図柄変動フラグ≠１）の場合、ＣＰＵ４２ａは、図柄変動フラグに「２」が設定され、図柄組み合わせゲーム（リーチ演出）が継続していることから、ステップＳ４３に移行して発射停止信号を継続出力する。また、ステップＳ４１の判定結果が否定（タイマ＞０）の場合、ＣＰＵ４２ａは、リーチ停止条件が成立していないことから、発射停止処理２を終了する。
【００６３】
発射停止処理２においてＣＰＵ４２ａは、図柄組み合わせゲームの開始後、所定時間が経過した場合、リーチ演出が行わることを判定し、発射停止信号を発射基板３８に出力する。そして、ＣＰＵ４２ａは、図柄組み合わせゲームが終了する（リーチ演出が終了する）迄の間、発射停止信号を継続出力する。発射停止信号を入力した発射基板３８は、遊技球の発射を停止させるように制御する。その結果、リーチ停止条件が設定されている場合には、リーチ演出中、自動的に止め打ちが行われる。
【００６４】
次に、図８に示す発射停止処理３を説明する。
発射停止処理３は、保留停止条件の成立によって遊技球の発射を停止させるために実行される処理である。発射停止処理３においてＣＰＵ４２ａは、スイッチ入力処理のステップＳ１０にてＲＡＭ４２ｃに格納した切換スイッチ４５の設定状態を確認し、スイッチＳＷ３がＯＮであるか否か（保留停止条件が設定されているか否か）を判定する（ステップＳ５０）。この判定結果が否定（スイッチＳＷ３＝ＯＦＦ（保留停止条件が設定されていない））の場合、ＣＰＵ４２ａは、発射停止処理３を終了する。保留停止条件が設定されていない場合には、大当り遊技状態中以外で保留記憶数が上限数に達しても発射停止制御が実行されず、発射ハンドル２１の操作によって遊技球が発射される（但し、遊技者が発射停止ボタン３９ａを操作した場合には発射が停止する）。
【００６５】
ステップＳ５０の判定結果が肯定（スイッチＳＷ３＝ＯＮ（保留停止条件が設定されている））の場合、ＣＰＵ４２ａは、保留指定コマンドを入力したか否かを判定する（ステップＳ５１）。保留指定コマンドは、主制御基板３０のメインＣＰＵ３０ａから出力され、信号中継基板４３によってメイン中継基板３１と変更指示基板４２に中継される。この判定結果が肯定（入力した）の場合、ＣＰＵ４２ａは、入力した保留指定コマンドが保留４指定コマンドであるか否かを判定する（ステップＳ５２）。この判定結果が肯定（保留４指定コマンドである）の場合、ＣＰＵ４２ａは、保留上限フラグに「１」を設定し（ステップＳ５３）、ステップＳ５５に移行する。保留上限フラグは、保留記憶数が上限数（本実施形態では「４」）に達しているか否かを示すものであり、保留上限フラグが「１」の場合には上限数に達していることを示す。一方、ステップＳ５１の判定結果が否定（入力していない）の場合、ＣＰＵ４２ａは、保留上限フラグに「１」が設定されているか否かを判定する（ステップＳ５４）。この判定結果が肯定（保留上限フラグ＝１）の場合、ＣＰＵ４２ａは、ステップＳ５５に移行する。ステップＳ５４の判定結果が否定（保留上限フラグ≠１）の場合、発射停止処理３を終了する。
【００６６】
ステップＳ５５に移行したＣＰＵ４２ａは、遊技状態を確認する。ステップＳ５５においてＣＰＵ４２ａは、遊技状態が、大当り遊技状態であるか否かを確認する。この確認は、大当り信号の入力状態から確認する。大当り信号は、主制御基板３０のメインＣＰＵ３０ａから出力され、信号中継基板４３によって外部接続端子板３７と変更指示基板４２に中継される。そして、ＣＰＵ４２ａは、大当り信号の入力によって大当り遊技状態であることを確認する。なお、ステップＳ５６においてＣＰＵ４２ａは、オープニングコマンドから大当り遊技状態を確認しても良い。
【００６７】
続いて、ＣＰＵ４２ａは、ステップＳ５５の確認結果に基づき、大当り遊技状態中（図８には「大当り中」と示す）以外であるか否かを判定する（ステップＳ５６）。この判定結果が肯定（大当り遊技状態以外である）の場合、ＣＰＵ４２ａは、図柄変動フラグを確認する（ステップＳ５７）。図柄変動フラグは、発射停止処理２（図７）で用いるフラグと同一のフラグである。続いて、ＣＰＵ４２ａは、図柄変動フラグに「２」以外の値（０又は１）が設定されているか否かを判定する（ステップＳ５８）。この判定結果が肯定（図柄変動フラグ＝０又は１）の場合、ＣＰＵ４２ａは、保留停止条件が成立していることから、遊技球の発射停止を指示する発射停止信号を発射基板３８に出力し（ステップＳ５９）、発射停止処理３を終了する。
【００６８】
ステップＳ５６の判定結果が否定（大当り遊技状態中である）の場合、ＣＰＵ４２ａは、保留停止条件が成立しているときであっても、遊技球の発射を停止させることなく、発射停止処理３を終了する。即ち、大当り遊技状態中は、大入賞口２７に遊技球を入賞させる遊技が行われているため、保留記憶数が上限数に達しているときであっても、遊技球の発射を継続させる。ステップＳ５８の処理が否定（図柄変動フラグ＝２）の場合、発射停止処理２において既に発射停止信号を出力しているため、発射停止処理３を終了する。
【００６９】
また、ステップＳ５２の判定結果が否定（保留４指定コマンドではない）の場合、ＣＰＵ４２ａは、入力した保留指定コマンドが、保留３指定コマンドであるか否かを判定する（ステップＳ６０）。この判定結果が肯定（保留３指定コマンドである）の場合、ＣＰＵ４２ａは、保留記憶数が「４」から「３」になったか否かを判定する（ステップＳ６１）。ＣＰＵ４２ａは、保留指定コマンドを入力すると、その保留指定コマンドを次の保留指定コマンドが入力される迄の間、ＲＡＭ４２ｃに格納する。そのため、ステップＳ６１においてＣＰＵ４２ａは、前回入力した保留指定コマンドと今回入力した保留指定コマンドを比較して保留記憶数が「４」から「３」になったか否かを判定する。即ち、ＣＰＵ４２ａは、保留３指定コマンドを入力した際、前回の保留指定コマンドが保留４指定コマンドである場合には図柄組み合わせゲームの開始によって保留記憶数が「４」から「３」に−１されていることから、ステップＳ６１を肯定判定する。一方で、ＣＰＵ４２ａは、保留３指定コマンドを入力した際、前回の保留指定コマンドが保留２指定コマンドである場合には始動入賞口２５に遊技球が入賞したことによって保留記憶数が「２」から「３」に＋１されていることから、ステップＳ６１を否定判定する。
【００７０】
ステップＳ６１の判定結果が肯定（保留記憶数「４」→「３」）の場合、ＣＰＵ４２ａは、保留記憶数が上限数に達していた状態が解除されたことから、保留上限フラグに「０（零）」を設定する（ステップＳ６２）。その後、ＣＰＵ４２ａは、発射停止処理３を終了する。なお、ＣＰＵ４２ａは、ステップＳ６０の判定結果が否定（保留３指定コマンドではない）の場合、又はステップＳ６１の判定結果が否定（保留記憶数「２」→「３」）の場合、保留記憶数が上限数に達していないことから、発射停止処理３を終了する。
【００７１】
発射停止処理３においてＣＰＵ４２ａは、保留記憶数が上限数に達した場合、大当り遊技状態中でなければ、発射停止信号を発射基板３８に出力する。そして、ＣＰＵ４２ａは、保留記憶数が上限数に達した状態が解除される迄の間、発射停止信号を継続出力する。発射停止信号を入力した発射基板３８は、遊技球の発射を停止させるように制御する。その結果、保留停止条件が設定されている場合には、大当り遊技状態以外の状態（通常状態、確変状態、時短状態）において保留記憶数が上限数に達すると、自動的に止め打ちが行われる。
【００７２】
このように構成されたパチンコ機１０では、遊技機メーカの実射試験時、発射態様変更装置４１を図４（又は図３）に示すように装着することによって、止め打ちを考慮した上で試験を行うことが可能となる。そして、止め打ち機能を搭載したパチンコ機１０を望む遊技店には、発射態様変更装置４１を装着した状態で出荷する。一方で、止め打ち機能を排除したパチンコ機１０を望む遊技店には、発射態様変更装置４１を脱着した状態で出荷する。発射態様変更装置４１を脱着した場合、主制御基板３０には、図３に示すように、外部接続端子板３７、メイン中継基板３１及び電源基板４０が直接的に接続されると共に、発射基板３８には、ハンドルユニット３９が直接的に接続される。発射態様変更装置４１の脱着によって、止め打ちに関する制御プログラムや切換スイッチ４５も一緒に排除されることとなる。即ち、発射態様変更装置４１が装着されたパチンコ機１０と発射態様変更装置４１が脱着されたパチンコ機１０では、止め打ち機能が搭載されるか否か（発射態様変更装置４１が装着されているか否か）の違いのみで、同一の遊技（図柄組み合わせゲームなど）が行われると共に前記遊技に係る制御も同一制御が実行される。
【００７３】
従って、本実施形態によれば、以下に示す効果を得ることができる。
（１）発射態様変更装置４１を、主制御基板３０と各制御基板３２〜３４（サブ制御装置）との間の信号伝送路上に装着すると共に、発射基板３８に接続するように構成した。即ち、発射態様変更装置４１を、主制御基板３０、統括制御基板３２、表示制御基板３３、音声・ランプ制御基板３４、及び発射基板３８などの遊技機構成部材とは別体構成とした。そのため、発射態様変更装置４１の装着によって遊技球の発射態様変更に係る制御（本実施形態では発射停止制御）を行うことができる一方で、発射態様変更装置４１の脱着によって前記制御を行わないようにすることができる。従って、同一機種のパチンコ機１０にあっては、実射試験時と出荷時に発射態様変更装置４１が装着されているか又は脱着されているかの違いのみで、パチンコ機１０自体は共通化され、汎用性を確保することができる。また、異なる機種のパチンコ機１０にあっても、発射態様変更装置４１を脱着することで、脱着後の発射態様変更装置４１を他のパチンコ機１０にそのまま流用することができ、汎用性を確保することができる。
【００７４】
（２）遊技球の発射態様変更に係る制御プログラムを変更指示基板４２に記憶し、変更指示基板４２のＣＰＵ４２ａの制御によって遊技球の発射態様変更に係る制御（本実施形態では発射停止制御）を実行させるようにした。そのため、主制御基板３０の記憶容量を圧迫することなく、主制御基板３０が本来行うべき、遊技演出（表示演出、発光演出、音声演出）の制御、及び始動入賞口２５や大入賞口２７などの制御が制限されることを抑制できる。また、主制御基板３０に前記制御プログラムを組み込むことを前提として遊技演出用の制御プログラムを設計する必要がないので、設計効率が低下することを抑制できる。
【００７５】
（３）切換スイッチ４５を発射態様変更装置４１（変更指示基板４２）に設けた。そのため、遊技店側が主体となって発射停止条件（本実施形態では大当り停止条件、リーチ停止条件、保留停止条件）を設定することができる。また、遊技球の発射態様変更に係る制御（本実施形態では発射停止制御）を実行しない場合には、発射態様変更装置４１の脱着と共に切換スイッチ４５も排除することができる。そのため、切換スイッチ４５を含む発射態様変更装置４１全体を他のパチンコ機１０に流用することができる。
【００７６】
（４）変更指示基板４２に外部機器ＰＣを接続するための接続端子４２ｄを設けた。そのため、遊技機メーカでは、接続端子４２ｄに、例えば、パーソナルコンピュータなどの外部機器ＰＣを接続して、実射試験を行うことができる。そして、信号中継基板４３と変更指示基板４２との接続形態を一方向通信としたので、発射態様変更装置４１を装着したパチンコ機１０を遊技店に出荷した場合に不正基板などによって主制御基板３０に不正な信号が入力することを防止でき、不正行為対策を施すことができる。
【００７７】
（５）変更指示基板４２に切換スイッチ４５の設定状態を報知する設定報知器４６を設けた。従って、設定報知器４６の報知内容を参照することで、切換スイッチ４５の設定状態を外部から容易に確認することができる。
【００７８】
（６）大当り停止条件が成立した場合に、遊技球の発射を自動的に停止させるようにした。そのため、大当り遊技状態中、大入賞口２７の閉鎖によって遊技者が遊技球の発射を停止させる可能性が高いオープニング演出、及びエンディング演出にて遊技球の発射を停止させることができる。即ち、パチンコ機１０が遊技を行われる環境に即した条件で止め打ちを行わせることができる。
【００７９】
（７）リーチ停止条件が成立した場合に、遊技球の発射を自動的に停止させるようにした。図柄組み合わせゲームにおいて、遊技者が遊技球の発射を停止させる可能性が高いリーチ演出にて遊技球の発射を停止させることができる。また、リーチ演出が行われるか否か（リーチが形成されるか否か）を図柄組み合わせゲームが開始してからの経過時間によって判定するようにした。そのため、遊技演出の演出内容（例えば、リーチ演出の演出内容）が異なる他機種のパチンコ機１０においてもリーチ演出が行われるか否かの判定を行うことができ、発射態様変更装置４１を他のパチンコ機１０に流用することができる。なお、変動パターンの種類からリーチ演出が行われるか否かを判定する場合には、変動パターンの設定に応じて止め打ちに係る制御プログラム（本実施形態では発射停止処理２）を変更する必要がある。
【００８０】
（８）また、発射停止処理２において遊技状態（通常状態、確変状態、時短状態）を確認し、時間を設定することで、遊技状態に応じてはずれ演出用の変動パターンの演出時間が異なる場合であっても、リーチ演出が行われるか否かを判定することができる。そのため、遊技状態に合わせてリーチ演出中に遊技球の発射を停止させることができる。
【００８１】
（９）保留停止条件が成立した場合に、遊技球の発射を自動的に停止させるようにした。そのため、遊技中、遊技者が遊技球の発射を停止させる可能性が高い保留記憶数が上限数に達しているときに遊技球の発射を停止させることができる。このとき、大当り遊技状態中であるか否かを確認することで、図柄変動演出が行われず、保留記憶数が上限数に達しやすい大当り遊技状態中に遊技球の発射が停止してしまうことを防止できる。従って、大入賞口２７の開放中に遊技球の発射が行われず、賞球を獲得できないなど、遊技者が不利益を受けることがない制御を実現できる。
【００８２】
（１０）信号中継基板４３に、主制御基板３０に接続される統括制御基板３２、表示制御基板３３、音声・ランプ制御基板３４、外部接続端子板３７、電源基板４０、各種センサＡ２〜Ａ４、及び各種ソレノイドＢ１，Ｂ２を接続するようにした。そのため、各種配線を信号中継基板４３に集中させることができ、パチンコ機１０の配線を簡素化できる。
【００８３】
（第２の実施形態）
以下、本発明を具体化した第２の実施形態を説明する。以下に説明する実施形態では、既に説明した実施形態と同一構成及び同一制御内容については同一符号を付すなどして、その重複する説明を省略又は簡略する。なお、本実施形態のパチンコ機１０の制御構成は、第１の実施形態の制御構成と基本的に同じであり、図３に示すとおりである。
【００８４】
本実施形態のパチンコ機１０は、遊技球の発射態様として、発射強度を変更し得るように構成されている。図９には、本実施形態におけるパチンコ機１０の遊技盤５０が示されている。遊技盤５０の遊技領域５０ａの略中央には、液晶ディスプレイ型の可変表示器（可変表示部）５２を備えた表示装置５１が配設されている。可変表示器５２では、表示演出に関連して、図柄組み合わせゲームが行われるようになっている。図柄組み合わせゲームでは、第１の実施形態と同様に３列の図柄組み合わせが表示されるようになっている。
【００８５】
表示装置５１の下方には、始動入賞口５３が配設されており、始動入賞口５３は、遊技球の入賞を契機に図柄組み合わせゲームの始動条件を付与し得る。始動入賞口５３の下方には、開放動作を行う開閉羽根５４を備えた権利獲得用装置５５が配設されている。表示装置５１の右方には、遊技領域５０ａに発射された遊技球を受け入れ、当該遊技球を第３種始動口５７に導く、回転体５６が配設されている。回転体５６は、常時一定方向に回転している。回転体５６の下方（表示装置５１の右方）には、開閉動作を行う大入賞口扉５８を備えた大入賞口５９が配設されている。主制御基板３０には、権利獲得用装置５５、及び第３種始動口５７に入賞した遊技球を検知するセンサ（図示しない）が接続されている。また、主制御基板３０には、開閉羽根５４を開閉動作させるソレノイド（図示しない）と、回転体５６を回転動作させるモータ（図示しない）が接続されている。
【００８６】
このように構成されたパチンコ機１０では、図柄組み合わせゲームにおいて大当りの組み合わせが停止すると、開閉羽根５４の開動作によって権利獲得用装置５５が作動し、所定時間の間開放され、遊技球の入賞が可能な状態となる。そして、権利獲得用装置５５の開放中に遊技球が入賞すると、大当り遊技状態が付与される。その後、遊技球を回転体５６側に向かって発射し（所謂、右打ち）、該遊技球が第３種始動口５７に入賞すると、大入賞口扉５８の開動作によって大入賞口５９が開放され、遊技球の入賞が可能な状態となる。大入賞口５９は、予め定めた規定ラウンド数だけ開放されるようになっており、ラウンド遊技の終了後、第３種始動口５７へ遊技球が入賞すると再び開放されるようになっている。１回のラウンド遊技は、大入賞口５９が開放されてから閉鎖される迄であり、１回のラウンド遊技中に大入賞口５９は、規定入賞個数の遊技球が入賞する迄の間、又は一定時間が経過する迄の間、開放される。このように構成されたパチンコ機１０（「権利もの」と言われている）では、大当り遊技状態以外の遊技状態（通常状態、確変状態など）中は始動入賞口５３に向けて遊技球を発射させ、大当り遊技状態中は遊技球の発射強度を強めることにより第３種始動口５７（大入賞口５９）に向けて遊技球を発射させる必要がある。
【００８７】
そのため、本実施形態の発射態様変更装置（発射強度変更装置）４１は、遊技中に遊技球の発射強度変更条件（発射態様変更条件）が成立したことを契機に、遊技球の発射強度を自動的に変更する制御（以下、「発射強度制御」と示す）を実行するようになっている。即ち、発射態様変更装置４１は、発射強度変更条件の成立を契機に、右打ちを自動的に行わせるようになっている。発射態様変更装置４１は、図４に示すように、変更指示基板４２、信号中継基板４３、及び発射中継基板４４から構成されている。そして、発射態様変更装置４１（変更指示基板４２のＲＯＭ４２ｂ）には、発射強度制御を実行するための制御プログラムが記憶されている。また、切換スイッチ４５は、大当り遊技状態の付与によって遊技球の発射強度を変更することを示す発射強度変更条件が設定可能に構成されている。
【００８８】
以下、発射態様変更装置４１の装着時、変更指示基板４２のＣＰＵ４２ａが実行する発射強度制御について説明する。
主制御基板３０のメインＣＰＵ３０ａは、権利獲得用装置５５に遊技球が入賞すると、大当り遊技状態であることを示す大当り信号（大当り状態信号）を外部接続端子板３７に出力する（図１０参照）。この大当り信号は、信号中継基板４３を介して、変更指示基板４２にも中継される。大当り信号は、大当り遊技状態が終了する迄の間、継続出力される。そして、変更指示基板４２のＣＰＵ４２ａは、大当り信号の入力を契機に遊技球の発射強度の変更（発射強度を強めるように変更）を指示する発射強度変更信号（発射態様変更信号）を発射基板３８に出力する。変更指示基板４２のＣＰＵ４２ａは、大当り遊技状態が終了する迄の間（大当り信号を入力しなくなる迄の間）、発射強度信号を出力する。発射強度変更信号は、可変抵抗器３９ｃから出力される発射強度信号と同様の信号である。なお、変更指示基板４２のＣＰＵ４２ａは、オープニングコマンドやラウンドコマンドから大当り遊技状態を確認しても良い。オープニングコマンドは、権利獲得用装置５５に遊技球が入賞したことを契機にメインＣＰＵ３０ａから出力される。発射強度変更信号を入力した発射基板３８は、発射強度変更信号に基づく発射強度で遊技球が発射されるように発射制御信号を発射ソレノイドＢ３に出力する。その結果、発射強度変更条件が設定されている場合には、大当り遊技状態中、遊技球が第３種始動口５７（大入賞口５９）に向けて発射されるように発射強度が強められ、自動的に右打ちが行われる。
【００８９】
その後、変更指示基板４２のＣＰＵ４２ａは、大当り遊技状態が終了すると、発射強度信号の出力を停止する。そして、発射基板３８は、可変抵抗器３９ｃからの発射強度信号に基づく発射強度で遊技球が発射されるように発射制御信号を発射ソレノイドＢ３に出力する。そのため、大当り遊技状態終了後、遊技球は、発射ハンドル２１の回動操作量に応じた発射強度で発射されることとなる。
【００９０】
従って、本実施形態によれば、第１の実施形態の効果（１）〜（５）、（１０）と同様の効果に加えて、以下に示す効果を得ることができる。
（１１）発射強度変更条件が成立した場合に、遊技球の発射強度を自動的に変更するようにした。そのため、大当り遊技状態が付与された場合に、自動的に遊技球を大入賞口５９に向けて発射させることができる。従って、大当り遊技状態が付与された際に、遊技者が発射ハンドル２１を発射強度が強くなるように操作しなければならない煩わしさを解消することができる。即ち、遊技者は、通常状態中、始動入賞口５３に向けて遊技球が発射されるように発射ハンドル２１の回動操作量を固定している。そのため、遊技球の発射強度を自動的に変更することによって、大当り遊技状態が付与された時、及び大当り遊技状態が終了した時に、遊技者自身で直接、発射ハンドル２１の回動操作量を変更する必要がなくなる。また、遊技機メーカが行う実射試験中、開発担当者自身で直接、発射ハンドル２１の回動操作量を変更する必要がなく、試験効率を向上させることができる。
【００９１】
（１２）また、権利獲得用装置５５への遊技球の入賞によって出力される大当り信号の入力を契機に遊技球の発射強度を変更するようにした。即ち、大当り信号は、権利獲得用装置５５に遊技球が入賞しない限り出力されないので、権利獲得用装置５５に遊技球が入賞する前に発射強度が変更されてしまうことがない。そのため、発射強度が変更されたことによって権利獲得用装置５５に遊技球が入賞せず、権利が消滅してしまうことを防止できる。従って、遊技者が不利益を受けることがない制御を実現できる。
【００９２】
なお、各実施形態は以下のように変更してもよい。
・各実施形態は、発射停止制御と発射強度変更制御を実行するパチンコ機１０に具体化しても良い。このように構成したパチンコ機１０の場合、大当り停止条件、リーチ停止条件又は保留停止条件の成立によって遊技球の発射停止が自動的に行われると共に、発射強度変更条件の成立によって遊技球の発射強度の変更が自動的に行われる。また、発射停止制御と発射強度変更制御のうち、何れかの制御のみを実行するパチンコ機１０に具体化しても良い。
【００９３】
・各実施形態では、切換スイッチ４５と設定報知器４６を変更指示基板４２に配設しているが、変更指示基板４２とは別の基板に切換スイッチ４５と設定報知器４６を配設し、該基板を変更指示基板４２に接続するようにしても良い。
【００９４】
・各実施形態において切換スイッチ４５は、ディップスイッチに限らず、発射停止条件や発射強度変更条件を設定可能な他の形式のスイッチに変更しても良い。また、スイッチ入力処理（図５）において、切換スイッチ４５の設定状態が変更された場合には、発射停止制御や発射強度制御にて設定される各フラグやタイマの値をクリアする処理を実行するようにしても良い。
【００９５】
・各実施形態において、発射態様変更装置４１を、主制御基板３０と統括制御基板３２（表示制御基板３３、音声・ランプ制御基板３４）との間の信号伝送路上に装着し、外部接続端子板３７、各センサＡ２〜Ａ４及び各ソレノイドＢ１，Ｂ２を主制御基板３０に直接接続しても良い。また、発射態様変更装置４１を、主制御基板３０と統括制御基板３２との間、及び主制御基板３０と外部接続端子板３７との間の信号伝送路上に装着しても良い。また、始動口センサＡ１をメイン中継基板３１を介して主制御基板３０に接続するようにしても良い。
【００９６】
・各実施形態において、変更指示基板４２から統括制御基板３２、表示制御基板３３、又は音声・ランプ制御基板３４に発射停止中又は発射強度変更中を示す信号を出力し、発射停止中又は発射強度変更中であることを報知しても良い。
【００９７】
・第１の実施形態では、発射基板３８が発射ソレノイドＢ３に駆動信号を出力しないことによって発射停止制御を実行しているが、遊技球を発射位置にセットする図示しない球送りソレノイド（上球皿１５の下流側に設けられている）に駆動信号を出力しないことによって発射停止制御を実行しても良い。また、発射ソレノイドＢ３に代えて発射モータで打球杆を駆動する場合であっても、第１の実施形態と同様に発射停止制御を実行することができる。
【００９８】
・第１の実施形態において、発射停止処理１（図６）のステップＳ２２では、大当り信号を用いてオープニング演出が開始することを判定しても良い。また、ステップＳ２２では、大入賞口ソレノイドＢ２の閉信号を用いて最終ラウンドを判定し、エンディング演出が開始することを判定しても良い。また、発射停止処理１では、オープニング演出、又はエンディング演出の何れかにおいて遊技球の発射を停止させるようにしても良い。
【００９９】
・第１の実施形態において、発射停止処理１（図６）のステップＳ２４、及び発射停止処理２（図７）のステップＳ３５でセットされる時間は、任意に変更しても良い。即ち、これらの時間は、オープニング演出やエンディングの演出時間、又は図柄組み合わせゲームが開始してからリーチ演出に移行する迄の時間に応じて変更される時間となる。
【０１００】
・第１の実施形態において、発射停止処理２（図７）のステップＳ３４では、大当り遊技状態が付与された場合、図柄指定コマンドで指定された大当りの組み合わせを形成する図柄の種類から遊技状態（確変状態、時短状態、通常状態）を判定しても良い。このとき、確変状態中に生起された通常の大当りに基づく大当り遊技状態終了後に時短状態を付与するパチンコ機１０では、過去２回の大当りの組み合わせを形成する図柄を記憶し、遊技状態を判定する。なお、記憶した図柄は、通常状態に移行した段階でクリアされる。また、ステップＳ３４では、普通図柄変動ゲーム用の変動パターンを指定する変動パターン指定コマンドから遊技状態を判定しても良い。普通図柄変動ゲーム用の変動パターンは、通常状態用の変動パターンと確変状態用又は時短状態用の変動パターンに分類され、これらの変動パターンは演出時間が異なっている。また、ステップＳ３４では、始動口ソレノイドＢ１の開信号と閉信号から遊技状態を判定しても良い。始動入賞口２５の開閉羽根２４は、通常状態時よりも確変状態時又は時短状態時の方が、開放時間が長くなるように制御されたり、開放回数が多くなるように制御される。
【０１０１】
・第１の実施形態において、発射停止処理２（図７）のステップＳ３５では、タイマを設定し、リーチ演出が行われるか否かを判定しているが、変動パターン指定コマンドで指定された変動パターンの種類からリーチ演出が行われるか否かを判定しても良い。また、ステップＳ３５において、図柄組み合わせゲームが開始してから、スーパーリーチ演出（出現する割合は低いが大当りになる期待が大きい演出）に移行する迄の時間に応じて定めた時間をセットするようにしても良い。このようにすれば、ノーマルリーチ演出（出現する割合は高いが大当りになる期待が小さい演出）中は発射停止がなされず、ノーマルリーチ演出に比して演出時間が長くなるスーパーリーチ演出に移行した後、遊技球の発射が停止する。さらに、変動パターンの種類に応じて、発射停止制御を実行する場合には、特定の変動パターンが指定されたときに遊技球の発射を停止させるようにしても良い。また、発射停止処理２（図７）において、図柄指定コマンドで指定された図柄の種類からリーチ演出が行われるか否かを判定するようにしても良い。
【０１０２】
・第１の実施形態において、発射停止処理３（図８）のステップＳ５７とステップＳ５８の処理を省略し、ステップＳ５６の判定結果が肯定（大当り遊技状態中ではない）の場合に、ステップＳ５９にて発射停止信号を出力するようにしても良い。
【０１０３】
・第１の実施形態において、発射停止処理３（図８）のステップＳ５６では、大当り遊技状態中であるか否かを判定しているが、通常状態であるか否かを判定するようにしても良い。このように構成すれば、大当り遊技状態中、確変状態中、及び時短状態中は、保留記憶数が上限数に達している場合であっても、遊技球の発射を停止させないようにすることができる。
【０１０４】
・第１の実施形態では、大当り停止条件、リーチ停止条件、及び保留停止条件の３つの発射停止条件が設定可能とされているが、発射停止条件の数は任意に変更しても良い。例えば、大当り停止条件、リーチ停止条件、及び保留停止条件のうち、何れか１つ又は２つの発射停止条件を設定可能としても良い。また、設定可能とする発射停止条件を増やす場合には、次のような発射停止条件が考えられる。例えば、各ラウンド遊技間のインターバル中に遊技球の発射を停止する。この場合、大入賞口ソレノイドＢ２への開信号と閉信号を用いて１回のラウンド遊技の開始と終了を判定し、発射停止制御を実行する。また、確変状態、及び時短状態において始動入賞口２５の閉鎖中に遊技球の発射を停止する。この場合、前述同様に遊技状態を判定し、かつ、始動口ソレノイドＢ１への開信号と閉信号を用いて始動入賞口２５の開放と閉鎖を判定し、発射停止制御を実行する。
【０１０５】
次に、本実施形態及び別例から把握できる技術的思想を以下に追記する。
（イ）発射態様変更装置には、設定手段の設定状態を報知するための報知手段が設けられている請求項２に記載の遊技機。
【０１０６】
（ロ）発射態様変更装置は、発射態様変更条件として遊技球の発射を停止させるための条件が成立したか否かを判定するものとされ、大当り遊技状態中に行われるオープニング演出、及びエンディング演出のうち少なくとも何れか一方の開始を指示する演出開始信号の入力を契機に前記判定の結果を肯定判定し、オープニング演出、及びエンディング演出のうちいずれか一方の演出中に遊技球の発射を停止させるように発射停止信号を出力する請求項１又は請求項２に記載の遊技機。
【０１０７】
（ハ）発射態様変更装置は、発射態様変更条件として遊技球の発射を停止させるための条件が成立したか否かを判定するものとされ、複数種類の図柄を変動させて表示する図柄変動演出の開始を指示する変動開始信号の入力を契機に、前記図柄変動演出が開始してからリーチが形成されることなくはずれの組み合わせが表示されるまでの通常変動に係る時間よりも長い所定時間を設定し、当該所定時間が経過した時点で前記図柄変動演出の終了を指示する変動終了信号を入力しなかった場合に前記判定の結果を肯定判定し、リーチ演出中に遊技球の発射を停止させるように発射停止信号を出力する請求項１又は請求項２に記載の遊技機。
【０１０８】
（ニ）発射態様変更装置は、前記図柄変動演出が行われる遊技状態を指示する遊技状態信号を入力し、当該遊技状態信号から、大当りの抽選確率が通常確率から高確率に変動した確率変動状態であるか、前記図柄変動演出の始動条件を付与する始動検知手段に遊技球を入り易くするか否かの抽選結果を導出する時間が短縮された変動時間短縮状態であるか、又は前記確率変動状態と変動時間短縮状態の何れにも該当しない通常状態であるかを判定し、その判定に基づく遊技状態に応じて前記所定時間を異ならせて設定する技術的思想（ハ）に記載の遊技機。
【０１０９】
（ホ）発射態様変更装置は、発射態様変更条件として遊技球の発射を停止させるための条件が成立したか否かを判定するものとされ、大当り遊技状態が付与されたことを指示する大当り状態信号と始動保留球の記憶数を指示する保留信号を入力し、前記大当り遊技状態が付与されていない場合に始動保留球の上限数を指示する保留信号の入力を契機に前記判定の結果を肯定判定し、前記始動保留球が上限数に達している間、遊技球の発射を停止させるように発射停止信号を出力する請求項１又は請求項２に記載の遊技機。
【０１１０】
（ヘ）発射態様変更装置は、発射態様変更条件として遊技球の発射強度を変更させるための条件が成立したか否かを判定するものとされ、大当り遊技状態が付与されたことを指示する大当り状態信号の入力を契機に前記判定の結果を肯定判定し、遊技球の発射強度の変更によって大当り遊技状態中に開放される大入賞口に向けて遊技球が発射されるように発射強度変更信号を出力する請求項１又は請求項２に記載の遊技機。
【０１１１】
（ト）発射態様変更装置は、遊技信号を中継する信号中継装置と、発射態様変更条件が成立したか否かを判定し、発射態様変更信号を出力する変更指示装置とから構成されると共に、信号中継装置と変更指示装置は、信号中継装置から変更指示装置への一方向通信とされ、変更指示装置には、外部機器を接続するための接続部が設けられている請求項１又は請求項２に記載の遊技機。
【０１１２】
（チ）信号中継装置には、サブ制御装置に加えて、遊技場の電源を遊技機本体に供給する電源供給装置、遊技場の遊技機管理装置に対して遊技信号に基づく各種の遊技情報を出力する外部接続装置、遊技盤に配設され、所定条件の成立によって開状態又は閉状態の何れかの状態を取り得る各種入賞装置の駆動装置、及び遊技球を検知する各種の検知装置が接続される技術的思想（ト）に記載の遊技機。
【図面の簡単な説明】
【０１１３】
【図１】パチンコ遊技機の機表側を示す正面図。
【図２】表示装置の正面図。
【図３】パチンコ遊技機の制御構成を説明するブロック図。
【図４】発射態様変更装置の装着時におけるパチンコ遊技機の制御構成の要部を示すブロック図。
【図５】スイッチ入力処理を説明するフローチャート。
【図６】発射停止処理１を説明するフローチャート。
【図７】発射停止処理２を説明するフローチャート。
【図８】発射停止処理３を説明するフローチャート。
【図９】第２実施形態におけるパチンコ遊技機の遊技盤を示す正面図。
【図１０】第２実施形態における大当り信号の出力タイミングを示すタイミングチャート。
【符号の説明】
【０１１４】
ＰＣ…外部機器、１０…パチンコ遊技機（遊技機）、１６…枠ランプ（遊技演出装置）、１３ａ，５０ａ…遊技領域、１７…遊技盤ランプ（遊技演出装置）、１８…スピーカ（遊技演出装置）、２３，５２…可変表示器（遊技演出装置）、３０…主制御基板（メイン制御装置）、３２…統括制御基板（サブ制御装置）、３３…表示制御基板（サブ制御装置）、３４…音声・ランプ制御基板（サブ制御装置）、３８…発射基板（発射制御装置）、４１…発射態様変更装置、４２…変更指示基板（変更指示装置）、４３…信号中継基板（信号中継装置）、４５…切換スイッチ（設定手段）。
【図１】
2005198973.tif 000003
【図２】
2005198973.tif 000004
【図３】
2005198973.tif 000005
【図４】
2005198973.tif 000006
【図５】
2005198973.tif 000007
【図６】
2005198973.tif 000008
【図７】
2005198973.tif 000009
【図８】
2005198973.tif 000010
【図９】
2005198973.tif 000011
【図１０】
2005198973.tif 000012